(57)【要約】【課題】地表面上に埋設することなく設置されていても盗難に遭う恐れを小さくできる道路鋲を提供する。【解決手段】鋲本体１の外縁の全周に亘って保護部材２により立ち上がり部２１が設けられていることで、鋲本体１と地表面Ｇとの間が覆われて工具等が入りにくく、また見た目も鋲本体１を引き剥がすきっかけが見つかりにくいことから、鋲本体１が地表面Ｇ上に埋設することなく設置されていても盗難に遭う恐れを小さくすることができる。【選択図】        図２
2008208578.tif 000002
【特許請求の範囲】
【請求項１】
地表面に設置された鋲本体の周囲に保護部材が設けられ、該保護部材は鋲本体の外縁の全周に亘って鋲本体と地表面との間を覆うように立ち上がり部が設けられていることを特徴とする道路鋲。
【請求項２】
前記保護部材は、水平方向の少なくとも一方向に延長されて平板部が設けられ、該平板部に標識が設けられていることを特徴とする請求項１に記載の道路鋲。
【請求項３】
前記鋲本体は、自発光体を備えたものであって、該自発光体の光軸が前記標識の設けられた側に向けて光を発するようになされていることを特徴とする請求項２に記載の道路鋲。
【発明の詳細な説明】
【技術分野】
【０００１】
本発明は、地表面上に埋設されることなく設置されている道路鋲に関するものである。
【背景技術】
【０００２】
自発光式の道路鋲は、蓄電手段等の発光に係る機器の関係により埋設して設置する場合が多いが、縁石上などに後付けにより設置する場合には、地表面を切削等することなく接着剤などを用いて地表面上に固定する方法が多く用いられてきている。このような縁石上などに地表面上に埋設されることなく設置される道路鋲としては、例えば偏平薄型に形成され、かつ前後面に透明なＬＥＤ発光窓を備え、左右に縁石に対する固定ボルト孔を形成した構成の樹脂製鋲本体と、前記鋲本体内に組み込まれたＬＥＤ自発光回路と、前記ＬＥＤ発光窓に対応する部分に開口部を形成し、前記鋲本体側の固定ボルト孔に対応する部分に固定ボルト孔を設けると共に、鋲本体の上面と周側面全体をプロテクトするために鋲本体に被せるようにして取り付けられた金属製のプロテクトカバーと、から成る自発光式縁石鋲が開示されている（例えば特許文献１）。
【０００３】
【特許文献１】登録実用新案第３１２５６２７号公報
【発明の開示】
【発明が解決しようとする課題】
【０００４】
しかしながら、特許文献１に記載されるような従来の道路鋲では、地表面上に埋設されることなく設置されていることから、青色や緑色の光を発する自発光式のものであった場合などに、地表面から引き剥がされて盗難に遭う恐れがあった。道路鋲を地表面に接着している場合は許より、アンカーボルトを用いると共に該アンカーボルトが特殊工具にて締結するボルトであっても、道路鋲と地表面との間にバール等を差し込んでアンカーボルトを破断させて道路鋲を持ち去る場合もあった。
【０００５】
本発明は上記の如き課題に鑑みてなされたものであり、地表面上に埋設することなく設置されていても盗難に遭う恐れを小さくできる道路鋲を提供せんとするものである。
【課題を解決するための手段】
【０００６】
上記目的を達成するため、本発明は以下のような構成としている。すなわち、本発明に係る道路鋲は、地表面に設置された鋲本体の周囲に保護部材が設けられ、該保護部材は鋲本体の外縁の全周に亘って鋲本体と地表面との間を覆うように立ち上がり部が設けられていることを特徴とするものである。
【０００７】
本発明に係る道路鋲によれば、鋲本体の外縁の全周に亘って保護部材により立ち上がり部が設けられていることで、鋲本体と地表面との間が覆われて工具等が入りにくく、また見た目も鋲本体を引き剥がすきっかけが見つかりにくいことから、鋲本体が地表面上に埋設することなく設置されていても盗難に遭う恐れを小さくすることができる。
【０００８】
また前記保護部材は、水平方向の少なくとも一方向に延長されて平板部が設けられ、該平板部に標識が設けられていれば、鋲本体の盗難の防止と共に、平板部に設けられた標識による標示の機能を具備させることができ好ましい。
【０００９】
また前記鋲本体は、自発光体を備えたものであって、該自発光体の光軸が前記標識の設けられた側に向けて光を発するようになされていれば、夜間において鋲本体の発光による視線誘導や線形誘導を図ることができると共に、自発光体からの光によって標識を照明することもでき好ましい。
【発明の効果】
【００１０】
本発明に係る道路鋲によれば、鋲本体の外縁の全周に亘って保護部材により立ち上がり部が設けられていることで、鋲本体と地表面との間が覆われて工具等が入りにくく、また見た目も鋲本体を引き剥がすきっかけが見つかりにくいことから、鋲本体が地表面上に埋設することなく設置されていても盗難に遭う恐れを小さくすることができる。
【発明を実施するための最良の形態】
【００１１】
本発明に係る最良の実施の形態について、図面に基づき以下に具体的に説明する。
【００１２】
図１は、本発明に係る道路鋲の、実施の一形態を示すもので、（ａ）は平面図、（ｂ）は側面図である。まず（ａ）において、道路鋲は地表面に設置されたものであり、平面視１００ｍｍ角の鋲本体１の周囲に平板状の保護部材２が設けられて形成されたものであり、保護部材２は断面台形状の鋲本体１を挟んで相反する二方向に平板部３が一体に延びて設けられると共に、鋲本体１を挟んで相反する平板部３Ａ及び３Ｂには標識４Ａ及び４Ｂが設けられている。鋲本体１は自発光体を備えた自発光式のものであり、断面台形状を形成する傾斜面１２の窓部１３から光が発せられるようになされており、また保護部材２及び平板部３は金属製の平板から形成されている。鋲本体１の周囲に設けられた保護部材２には、鋲本体１の外縁１１の全周に亘って立ち上がり部２１が設けられている。この立ち上がり部２１は、保護部材２を形成する平板の鋲本体１を設ける部位に鋲本体１の平面視に近似する切欠き２２を設け、その切欠き２２を適宜延長して切欠き周辺にスリット２３を設け、そのスリット２３を利用して内周縁部２４を上方に折り曲げることで形成されたものである。
【００１３】
次に（ｂ）において、鋲本体１の外縁の全周に亘って設けられた立ち上がり部２１は、鋲本体１の断面台形状の形状に沿うように斜め上方に折り曲げられることで鋲本体１の外縁１１を覆うように設けられているが、立ち上がり部２１は単に上方に垂直またはそれに近い角度となるように折り曲げて形成したものであってもよい。鋲本体１及び保護部材２を含む平板部３の地表面Ｇへの固定は、鋲本体１に設けられたボルト孔１７に挿通されたボルトＢ１、及び平板部３の四隅付近にそれぞれ設けられたボルト孔３１に挿通されたボルトＢ２が路面に予め埋設されたアンカーナット（図示せず）に螺着されて緊結されることで行われる。かかる立ち上がり部２１によって外縁１１と地表面Ｇとの間が隠されることで、引き剥がすきっかけが視認できなくなり、持ち去ろうとする意志に対する抑止力となり盗難に遭う恐れが小さくなされる。
【００１４】
鋲本体１及び平板部３を固定するボルトＢ１及びＢ２は、頭部が特殊工具によって回動可能となるラインヘッドやトルクス（登録商標）などが通常用いられるが、かかるボルトであっても特殊工具があれば簡単に取り外しが可能なことと、また鋲本体１の外縁１１と地表面Ｇとの間にバール等をこじ入れて引き剥がす力を加えればボルトＢ１が破断されて鋲本体１が地表から外されて持ち去られる恐れがある。ここで、鋲本体１の外縁１１の全周に亘って立ち上がり部２１が設けられていることで、外縁１１と地表面Ｇとの間にバール等をこじ入れるのが困難となり、鋲本体１が引き剥がされて持ち去られにくくなり盗難に遭う恐れを小さくできる。
【００１５】
また、本実施形態の如く、立ち上がり部２１が鋲本体１の断面台形状を形成する傾斜面１２の上方に覆い被さっていることで、立ち上がり部２１により鋲本体１が上方から押さえつけられて、鋲本体１のボルトＢ１を外したのみでは鋲本体１を持ち去ることができなくなされている。かかる立ち上がり部２１を設けることで、外縁１１と地表面Ｇとの間が更にしっかりと覆われるようになされると共に、鋲本体１を固定するボルトＢ１と平板部３を固定するボルトＢ２とを異なる頭部のボルトとすれば、更に盗難に遭う恐れを小さくすることにも繋がる。
【００１６】
図２は、図１に示した道路鋲の縦断面図であり、（ａ）は図１のＡ−Ａ断面の鋲本体１付近の詳細を示す縦断面図、（ｂ）は図１のＢ−Ｂ断面を示す縦断面図である。鋲本体１は、アルミニウム合金ダイカスト製のカバー材１４中にポリカーボネート樹脂製の透明なケース材１５が収納され、ケース材１５の下面にはアルミニウム製の平板状の蓋体１６が設けられている。ケース材１５と蓋体１６との間には発光装置５が設けられ、発光装置５は、太陽電池５１と、太陽電池により生起された電力を蓄電するニッケル水素電池である蓄電手段５２と、発光の制御に係る制御基板５３と、及び蓄電手段５２からの電力により発光を行う発光ダイオードである自発光体５４とを備えたものであり、自発光体５４の光軸Ｌは鋲本体１の傾斜面１２に設けられた窓部１３を通じて外界に光を発する方向に向けられている。ここで標識４Ａ及び４Ｂは、平板部３の鋲本体１を挟んで傾斜面１２側の、相反する両方に設けられていることで、自発光体５４からの光が下方にも漏洩して標識４Ａ及び４Ｂが照明されるようになされている。
【００１７】
（ｂ）において、鋲本体１の外縁１１に保護部材２の立ち上がり部２１は、上方に略垂直となるように設けられて、鋲本体１の外縁１１と地表面Ｇとの間を覆うようにしている。ボルト孔１７に挿通されたボルトＢ１が、地表面Ｇに予め埋設されたアンカーナットＮに緊結されることで鋲本体１が地表面Ｇに固定されている。カバー材１４はケース材１５上面の両端略１／４を覆うように設けられることで、太陽電池５１への光の入射を妨げることなくケース材１５を保護できるようになされている。
【００１８】
図３は、本発明に係る道路鋲の、他の実施形態を示す縦断面図である。（ａ）及び（ｂ）は図２に示した方向と同じ断面を示すものであり、鋲本体１については図１及び図２に示したものと同様であるが、保護部材２は上方に開口した箱状体であり、ステンレス鋼製の矩形の平板の四辺を上方に折り曲げて立ち上がり部２１を形成し、保護部材２の底部２２が鋲本体１と地表面Ｇとの間に挟まれて、ボルトＢ１がアンカーナットＮに緊結されて鋲本体１及び保護部材２が地表面Ｇに固定されている。またボルトＢ１の頭部付近は、エポキシ樹脂系の接着剤であるシール材Ｓにより被覆されてそのままでは工具を宛うことができなくなされている。
【００１９】
ここで鋲本体１のカバー材１４はアルミニウム製であるが、保護部材２はステンレス鋼製であり、アルミニウム材より格段に硬度の高いステンレス鋼を用いることで、バール等による変形を受けにくくでき、鋲本体１と地表面Ｇとの間にバール等を差し込むのが困難となって盗難に遭う恐れを小さくするようになされている。また交換時にはシール材Ｓを引き剥がすか、又は特殊な薬剤によりシール材Ｓを溶解させてボルトＢ１を取り外せるようにしている。
【００２０】
鋲本体１は、自発光式のものに限定されず、プリズム反射体が設けられた再帰反射性のものを用いてもよい。また保護部材２は、強度及び靱性が高く加工が容易な鋼鉄、ステンレス等の金属材料を用いて形成するのが好適であるが、それら限定されるものではなくコンクリート等の無機材料などを用いて形成してもよい。
【図面の簡単な説明】
【００２１】
【図１】本発明に係る道路鋲の、実施の一形態を示す説明図である。
【図２】図１に示した道路鋲の縦断面図である。
【図３】本発明に係る道路鋲の、他の実施形態を示す縦断面図である。
【符号の説明】
【００２２】
１    鋲本体
２    保護部材
２１  立ち上がり部
３    平板部
４    標識
５４  自発光体
Ｇ    地表面
Ｌ    光軸
【図１】
2008208578.tif 000003
【図２】
2008208578.tif 000004
【図３】
2008208578.tif 000005